(57)【要約】【課題】  押印するスタンプが文字や図形などのオブジェクトと重なる場合にスタンプ位置を自動的に変更して押印することができるようにしたスタンプ制御装置および方法およびプログラムを提供する。【解決手段】  予め指定された基点にスタンプを配置して文字や図形などのオブジェクトと重なる場合には基点付近にスタンプサイズ以上の面積を有する空白スペースが存在するか判断し、存在しない場合にはスタンプを貼り付ける画像の空白スペースのうち最も大きな面積を有する空白スペースをスタンプ位置算出部２０４で算出し、当該空白スペースサイズに押印できるサイズにスタンプを縮小する。このとき、スタンプが文字列である場合には、スタンプのフォントサイズを小さくし、さらに改行を行って空白スペースに押印できるようにする。【選択図】図２
2006041802.tif 000002
【特許請求の範囲】
【請求項１】
文字や図形などのオブジェクトから構成される電子ファイルにスタンプを押印するスタンプ制御装置において、
前記スタンプを電子ファイルの予め指定された基点に押印するスタンプ押印手段と、
前記スタンプ押印手段により押印されるスタンプと前記電子ファイルが構成するオブジェクトと重なりがあるか判断する重なり判断手段と、
前記重なり判断手段により重なりがあると判断された場合に前記電子ファイルの空白スペースの位置を検出する空白スペース位置検出手段と、
前記空白スペース位置検出手段で検出された空白スペースの位置に前記スタンプ押印手段によるスタンプの押印位置を変更するスタンプ押印位置変更手段と
を具備することを特徴とするスタンプ制御装置。
【請求項２】
前記空白スペース位置検出手段により検出された空白スペースのサイズを算出する空白スペースサイズ算出手段と、
前記空白スペースサイズ算出手段で算出された空白スペースのサイズが前記スタンプより小さい場合は、前記スタンプ押印手段で押印するスタンプを該空白スペースに収まるように編集するスタンプ編集手段と
を更に具備することを特徴とする請求項１記載のスタンプ制御装置。
【請求項３】
前記位置検出手段は、
前記基点から近くでかつ前記スタンプ編集手段で編集可能な空白スペースを検出する
ことを特徴とする請求項２記載のスタンプ制御装置。
【請求項４】
前記スタンプ編集手段は、
前記スタンプ押印手段で押印されるスタンプのデータ種類を判別するデータ種類判別手段と、
前記データ種類判別手段により判別されたデータ種類がテキストデータである場合は該テキストデータのフォントサイズを検出するフォントサイズ検出手段と、
前記フォントサイズ検出手段により検出したフォントサイズによる前記空白スペースサイズ算出手段により算出した空白スペースにおける一行あたりの最大文字数を算出する文字数算出手段と、
前記テキストデータの文字数が前記文字数算出手段で算出した最大文字数を越える場合は、前記テキストデータが前記空白スペースに収まるように前記フォントサイズ検出手段で検出したフォントサイズの変更若しくは改行の少なくとも一方を行うテキストデータ編集手段と
を具備することを特徴とする請求項２記載のスタンプ制御装置。
【請求項５】
文字や図形などのオブジェクトから構成される電子ファイルにスタンプを押印するスタンプ押印方法において、
前記スタンプを電子ファイルの予め指定された基点にスタンプ押印手段で押印し、
前記スタンプ押印手段により押印されるスタンプと前記電子ファイルが構成するオブジェクトと重なりがあるか重なり判断手段で判断し、
前記重なり判断手段により重なりがあると判断された場合に前記電子ファイルの空白スペースの位置を空白スペース位置検出手段で検出し、
前記空白スペース位置検出手段で検出された空白スペースの位置に前記スタンプ押印手段によるスタンプの押印位置をスタンプ押印位置変更手段で変更する
ことを特徴とするスタンプ押印方法。
【請求項６】
文字や図形などのオブジェクトから構成される電子ファイルにスタンプを押印する押印制御をコンピュータにより実行させるスタンプ押印プログラムであって、
前記スタンプを電子ファイルの予め指定された基点に押印する第１のステップと、
前記第１のステップで押印されたスタンプと前記電子ファイルが構成するオブジェクトと重なりがあるか判断する第２のステップと、
前記第２のステップにより重なりがあると判断された場合に前記電子ファイルの空白スペースの位置を検出する第３のステップと、
前記第３のステップで検出された空白スペースの位置に前記第１のステップによるスタンプの押印位置を変更する第４のステップと
を含むことを特徴とするスタンプ押印プログラム。
【発明の詳細な説明】
【技術分野】
【０００１】
本発明は、文字や図形などのオブジェクトから構成される画像にスタンプを押印するスタンプ制御装置および方法に関し、特に、押印するスタンプが文字や図形などのオブジェクトと重なる場合にスタンプ位置を自動的に変更して押印することができるようにしたスタンプ制御装置および方法およびプログラムに関する。
【背景技術】
【０００２】
一般に、画像にスタンプを押印する場合にはあらかじめ設定された定位置にスタンプを押印する。
【０００３】
このため、定型文書のような画像であればスタンプが画像に重ならないような位置を指定することが可能であるが、図形などの画像においては該画像ごとに空白スペースの位置が異なり、スタンプを定位置に押印すると元の画像と重なってしまう場合があるという問題がある。
【０００４】
画像を出力する出力装置の宛先装置情報、出力フォーマット情報にしたがって出力画像の拡大縮小率を算定し、該拡大縮小率に応じて患者情報などの出力文字情報のフォントサイズ、フォントタイプを選択し、当該フォントサイズ、フォントタイプに基づいて文字情報の出力を行う技術として特許文献１に開示されたものがある。
【特許文献１】特開２００２−１９０９３７
【発明の開示】
【発明が解決しようとする課題】
【０００５】
しかしながら、特許文献１に示された従来技術においては、フォントサイズやフォントタイプを出力態様に応じて選択することが出来たとしても、文字情報の出力位置を出力画像に合わせて変更して出力することが出来ないという問題がある。
【０００６】
そこで、本発明は、押印するスタンプが文字や図形などのオブジェクトと重なる場合にスタンプ位置を自動的に変更して押印することができるようにしたスタンプ制御装置および方法およびプログラムを提供することを目的とする。
【課題を解決するための手段】
【０００７】
上記目的を達成するため、請求項１の発明は、文字や図形などのオブジェクトから構成される電子ファイルにスタンプを押印するスタンプ制御装置において、前記スタンプを電子ファイルの予め指定された基点に押印するスタンプ押印手段と、前記スタンプ押印手段により押印されるスタンプと前記電子ファイルが構成するオブジェクトと重なりがあるか判断する重なり判断手段と、前記重なり判断手段により重なりがあると判断された場合に前記電子ファイルの空白スペースの位置を検出する空白スペース位置検出手段と、前記空白スペース位置検出手段で検出された空白スペースの位置に前記スタンプ押印手段によるスタンプの押印位置を変更するスタンプ押印位置変更手段とを具備することを特徴とする。
【０００８】
また、請求項２の発明は、請求項１の発明において、前記空白スペース位置検出手段により検出された空白スペースのサイズを算出する空白スペースサイズ算出手段と、前記空白スペースサイズ算出手段で算出された空白スペースのサイズが前記スタンプより小さい場合は、前記スタンプ押印手段で押印するスタンプを該空白スペースに収まるように編集するスタンプ編集手段とを更に具備することを特徴とする。
【０００９】
また、請求項３の発明は、請求項２の発明において、前記位置検出手段は、前記基点から近くでかつ前記スタンプ編集手段で編集可能な空白スペースを検出することを特徴とする。
【００１０】
また、請求項４の発明は、請求項２の発明において、前記スタンプ編集手段は、前記スタンプ押印手段で押印されるスタンプのデータ種類を判別するデータ種類判別手段と、前記データ種類判別手段により判別されたデータ種類がテキストデータである場合は該テキストデータのフォントサイズを検出するフォントサイズ検出手段と、前記フォントサイズ検出手段により検出したフォントサイズによる前記空白スペースサイズ算出手段により算出した空白スペースにおける一行あたりの最大文字数を算出する文字数算出手段と、前記テキストデータの文字数が前記文字数算出手段で算出した最大文字数を越える場合は、前記テキストデータが前記空白スペースに収まるように前記フォントサイズ検出手段で検出したフォントサイズの変更若しくは改行の少なくとも一方を行うテキストデータ編集手段とを具備することを特徴とする。
【００１１】
また、請求項５の発明は、文字や図形などのオブジェクトから構成される電子ファイルにスタンプを押印するスタンプ押印方法において、前記スタンプを電子ファイルの予め指定された基点にスタンプ押印手段で押印し、前記スタンプ押印手段により押印されるスタンプと前記電子ファイルが構成するオブジェクトと重なりがあるか重なり判断手段で判断し、前記重なり判断手段により重なりがあると判断された場合に前記電子ファイルの空白スペースの位置を空白スペース位置検出手段で検出し、前記空白スペース位置検出手段で検出された空白スペースの位置に前記スタンプ押印手段によるスタンプの押印位置をスタンプ押印位置変更手段で変更することを特徴とする。
【００１２】
また、請求項６の発明は、文字や図形などのオブジェクトから構成される電子ファイルにスタンプを押印する押印制御をコンピュータにより実行させるスタンプ押印プログラムであって、前記スタンプを電子ファイルの予め指定された基点に押印する第１のステップと、前記第１のステップで押印されたスタンプと前記電子ファイルが構成するオブジェクトと重なりがあるか判断する第２のステップと、前記第２のステップにより重なりがあると判断された場合に前記電子ファイルの空白スペースの位置を検出する第３のステップと、前記第３のステップで検出された空白スペースの位置に前記第１のステップによるスタンプの押印位置を変更する第４のステップとを含むことを特徴とする。
【発明の効果】
【００１３】
本発明によれば、押印するスタンプが文字や図形などのオブジェクトと重なる場合にスタンプ位置を自動的に変更して押印するように構成したので、スタンプ画像が文字や図形などのオブジェクトと重なることなく押印することができるという効果を奏する。
【発明を実施するための最良の形態】
【００１４】
以下、本発明に係わるスタンプ制御装置および方法の一実施例を添付図面を参照して詳細に説明する。
【００１５】
なお、スタンプの画像は、電子文書や電子画像などの電子ファイルに付与することが可能であるが、以下に示す実施例においては、電子文書（以下、「文書」という）を例にして説明する。
【実施例１】
【００１６】
図１は、この発明に係わるスタンプ制御装置および方法およびプログラムを適用して構成したネットワーク構成図である。
【００１７】
図１において、このスタンプ制御システムは、クライアント１０１、データベース１０２、アプリケーションサーバ１０３を具備して構成される。
【００１８】
クライアント１０１は、文書に付与するスタンプの画像（以下、「スタンプ画像」という）を作成し、また作成されたスタンプ画像などが押印された文字や図形などのオブジェクトにより構成される文書を表示する。
【００１９】
データベース１０２は、クライアント１０１により作成されたスタンプ画像を保存しておく。このときのスタンプ画像はデータベース１０２に保存されているだけではなく、ユーザの指示によりアプリケーションサーバ１０３で作成することも出来る。
【００２０】
例えば、スタンプが日付、時間、作成者名などのシステム情報を用いる場合には、その情報を文書に付与する際、スタンプ画像として作成される。
【００２１】
アプリケーションサーバ１０３は、文書にスタンプ画像を押印する処理を行う。アプリケーションサーバ１０３によりスタンプ画像が押印された文書（以下、スタンプ画像が押印された文書を「文書画像」という）をクライアント１０１に表示させたり、プリンタなどを用いることによって紙面に出力したりすることが可能になる。
【００２２】
図２は、この発明に係わるスタンプ制御装置の構成を示す図である。
【００２３】
図２には、要求受付部２０１、スタンプ制御部２０２、スタンプ管理部２０３、スタンプ位置制御部２０４、スタンプ押印部２０５を具備して構成される。
【００２４】
要求受付部２０１は、ユーザからのスタンプ押印指示として「（１）押印するスタンプ画像」「（２）スタンプを押印する文書」の２つの情報を受け付ける。さらには、あらかじめ設定したスタンプ画像を押印する基点の変更を行った場合には、変更した基点の位置を示す情報をも受け付ける。
【００２５】
スタンプ制御部２０２は、要求受付部２０１により受け付けたスタンプ画像の押印指示に基づいて、押印するスタンプ画像を制御する。
【００２６】
押印指示されたスタンプがスタンプ管理部２０３によって管理されたスタンプ画像である場合にはそのスタンプ画像を取得し、その取得したスタンプ画像またはユーザから送出されてきたスタンプ画像における元のデータの種類を解析し、元のデータが「画像データ」であるかまたは「テキストデータ」であるか判断する。
【００２７】
そして、スタンプ画像の元データが「画像データ」であると判断された場合においては、スタンプ画像とそのスタンプ画像を押印する文書との解像度が異なる場合には、同じ解像度となるようにスタンプ画像の解像度を文書の解像度に合わせる。このとき、解像度の変更を行うことによりスタンプを拡大したり縮小したりできる。
【００２８】
さらには、スタンプ位置制御部２０４によりスタンプ画像を押印する位置の制御が行われて、位置が決定した場合にその位置に押印するスタンプのサイズを変更する。
【００２９】
スタンプ管理部２０３は、押印するスタンプ画像を管理する。例えば、管理されているスタンプ画像は頻繁に使用する名称や書類名などのスタンプが管理されている。
【００３０】
スタンプ位置制御部２０４は、スタンプを押印する位置を決定する制御を行う。
【００３１】
あらかじめ設定された基点またはユーザにより指定された基点にスタンプ画像を配置した場合に、「スタンプ画像」と「文書を構成する文字や図形などのオブジェクト」が重なっているか判断し、重なりがある場合には、さらに、基点付近にスタンプが重ならないで押印できる空白スペースがあるか判断し、存在する場合には当該空白スペースにスタンプ画像を押印する。空白スペースがない場合には、元画像全体から空白スペースを探し出し、最も広い空白スペースをスタンプ画像の押印スペースとして決定する。
【００３２】
決定した空白スペースに押印できるようにスタンプ画像の縮小依頼をスタンプ制御部２０２に対して行う。
【００３３】
スタンプ押印部２０５は、スタンプ制御部２０２により制御されたスタンプ画像をスタンプ位置制御部２０４により決定したスタンプ押印位置に押印する。
【００３４】
図１または図２に示すような構成により、スタンプ画像をあらかじめ設定した基点からより近い位置に文字や図形などのオブジェクト重なることなく押印することができる。
【００３５】
図３は、基点においてスタンプ画像の形状を変更して押印したことを示す図である。
【００３６】
図３において、図３（ａ）はあらかじめ指定された基点においてスタンプ画像を押印した文書３０１、図３（ｂ）は指定された基点においてオブジェクトと重ならないようにスタンプの形状を変化させてスタンプ画像を押印した文書３０２を示している。
【００３７】
図３（ａ）に示すように、基点にスタンプ画像を押印した場合には、文書を構成する文字や図形などのオブジェクトと重なってしまう。これに対して、図３（ｂ）は、基点の空白スペースでスタンプ画像の形状を変化させることにより、文書のオブジェクトと重ならないように押印している。
【００３８】
ここに示す例では、横長のスタンプ画像の形状を短くしてそのぶんだけ縦に広げて押印している。
【００３９】
図４は、スタンプ画像を基点付近に移動させて押印したことを示す図である。
【００４０】
図４において、図４（ａ）は指定された基点においてスタンプ画像を押印した文書４０１、図４（ｂ）は指定された基点から近い基点付近にスタンプ画像のサイズや形状を変更することなく押印した文書４０２を示している。
【００４１】
図４（ａ）に示すように、基点にスタンプ画像を押印した場合には、文書を構成するオブジェクトと重なってしまう。これに対して、図４（ｂ）では、基点付近にスタンプ画像の形状を変更することなく押印することができる空白スペースが存在するため当該空白スペースにスタンプ画像の形状を変更することなく押印している。
【００４２】
図５は、スタンプ画像を基点付近に移動させてスタンプ画像の形状を変更して押印したことを示す図である。
【００４３】
図５において、図５（ａ）は指定された基点においてスタンプ画像を押印した文書５０１、図５（ｂ）は指定された基点からより近い基点付近にスタンプ画像の形状を変更して押印した文書５０２を示している。
【００４４】
図５（ａ）に示すように、基点にスタンプ画像を押印した場合には、文書を構成するオブジェクトと重なってしまう。これに対して、図５（ｂ）は、基点付近に空白スペースが存在し、スタンプ画像の形状を変更することにより押印していることを示している。
【００４５】
この例では、基点付近に空白スペースが存在するが、スタンプ画像の形状を変更するだけでは収まりきらないため、スタンプ画像を縮小することにより押印を行っていることを示している。
【００４６】
図６は、空白スペースにスタンプ画像の形状を変更して押印したことを示す図である。
【００４７】
図６において、図６（ａ）は指定された基点においてスタンプ画像を押印した文書６０１、図６（ｂ）は基点から離れた位置にスタンプ画像の形状をかえて押印した文書６０２を示している。
【００４８】
図６（ａ）に示す図では、基点にしたがってスタンプ画像を押印した場合には図形と重なってしまい、図形が見づらくなる。それに対して、図６（ｂ）に示す元画像６０２は、基点付近にスタンプ画像を押印する空白スペースが存在しないため基点から離れた位置にスタンプ画像の形状を変更して押印している。これにより文書を構成するオブジェクトと重なることなくスタンプ画像を押印することができる。
【００４９】
図７は、スタンプ画像の元のデータが文字データである場合にスタンプ画像の形状を変更した例を示す図である。
【００５０】
図７において、図７（ａ）は、文字を横一線（縦１行×横２０列）に配列したスタンプであり、図７（ｂ）は、図７（ａ）で示した横一線のスタンプを半分に折り返して縦２行×横１０列に配列したスタンプであり、図７（ｃ）は、文字を縦に配置して右側１列目を１１行とし、左側２列目を９行と配列したスタンプである。
【００５１】
図７（ａ）は、横一線に配列したスタンプを押印するスペースが存在している場合のスタンプ形状であるのに対して、図７（ｂ）は、横一線に配列したスタンプ形状では押印することができないが、半分に折り返したスタンプ形状であれば押印することができる場合の形状である。
【００５２】
さらに、図７（ｃ）は、図７（ａ）の横一線に配列したスタンプ形状では押印することができないが、縦長にすることで押印することができるスペースが存在している場合のスタンプ形状である。
【００５３】
本来、図７（ａ）に示した横一線に配列したスタンプ形状で押印したいが、スペースの都合上困難な場合に図７（ｂ）や図７（ｃ）に示したスタンプ形状に変更することにより、より最適な位置にスタンプを押印することができる。
【００５４】
図８は、本発明に係わるスタンプ制御装置におけるスタンプ押印位置を決定するフローチャートである。
【００５５】
図８において、文字や図形などのオブジェクトから構成される文書に押印するスタンプ画像を指定され、スタンプ画像の押印指示が行われると処理が開始され、指定されたスタンプ画像の元データがテキストデータであるか否かの判断を行い（Ｓ８０１）、該スタンプ画像の元データがテキストデータである場合（Ｓ８０１でＹＥＳ）には、スタンプのテキストデータを取得し（Ｓ８０２）、スタンプのテキストデータから文書に押印するスタンプ画像を作成する（Ｓ８０３）。それに対して、指定されたスタンプがテキストデータでない場合（Ｓ８０１でＮＯ）には、スタンプ画像がバーコードなどの画像であると判断して該スタンプ画像を取得する（Ｓ８０４）。
【００５６】
上記処理により文書に押印するスタンプ画像が決定されたことになり、この決定したスタンプ画像と文書とを以下に示すマージ処理を行い、スタンプ画像の押印位置が決定する。
【００５７】
まず、あらかじめ指定されたスタンプ画像の押印位置である基点にスタンプ画像を押印したとき、文書を構成する文字や図形などのオブジェクトとスタンプ画像の一部でも重なる個所があるか否かを判断し（Ｓ８０５）、重ならない場合（Ｓ８０５でＮＯ）には、該位置にスタンプ画像をマージして表示する（Ｓ８１１）。
【００５８】
また、一部でも重なってしまう場合（Ｓ８０５でＹＥＳ）には、基点付近に空白スペースが存在するか判断し（Ｓ８０６）、基点付近に空白スペースが存在する場合（Ｓ８０６でＹＥＳ）には、当該空白スペースのサイズを算出する（Ｓ８０７）。それに対して、基点付近に空白スペースが存在しない場合（Ｓ８０６でＮＯ）には、文書全体から基点に最も近い空白スペースを検出し（Ｓ８０８）、当該空白スペースのサイズを算出する（Ｓ８０９）。
【００５９】
算出した空白スペースのサイズが押印するスタンプ画像のサイズよりも大きいか否か判断し（Ｓ８１０）、空白スペースのサイズがスタンプ画像のサイズ以上である場合（Ｓ８１０でＹＥＳ）には、当該空白スペースにスタンプ画像をマージする（Ｓ８１１）。それに対して、空白スペースのサイズがスタンプ画像のサイズ未満である場合（Ｓ８１０でＮＯ）には、上記、指定されたスタンプ画像がテキストデータであるか判断（Ｓ８１２）を再度行い、テキストデータである場合（Ｓ８１２でＹＥＳ）には、文字列の折り返しを行うかまたはフォントサイズを変更する（Ｓ８１３）。テキストデータでない場合（Ｓ８１２でＮＯ）には、スタンプ画像を当該余白スペースサイズに縮小する（Ｓ８１４）。これらの処理により空白スペースに適したサイズに変更したスタンプ画像を文書にマージして表示する（Ｓ８１１）。
【実施例２】
【００６０】
図９には、本発明に係わるスタンプ制御装置におけるスタンプ押印位置を決定する他の例におけるフローチャートである。
【００６１】
図９において、スタンプ押印指示を受け付けると処理が開始され、押印されるスタンプ画像の面積サイズを算出する（Ｓ９０１）。算出した面積を持つスタンプ画像を押印する文書全体から空白スペースの割り出しを行い（Ｓ９０２）、割り出された空白スペースのうち、あらかじめ指定された基点の付近に面積を算出したスタンプ画像が押印することができる空白スペースが存在するか否かの判定を行い（Ｓ９０３）、空白スペースが存在する場合（Ｓ９０３でＹＥＳ）には、その空白スペースからの距離を算出し（Ｓ９０４）、距離が最も短い空白スペースにスタンプ画像を押印する（Ｓ９１１）。
【００６２】
それに対して、予め指定された基点の付近にスタンプ画像の面積サイズ以上の空白スペースが存在しない場合（Ｓ９０３でＮＯ）には、文書全体からスタンプ画像の面積サイズ以上の空白スペースがあるか否かを判定し（Ｓ９０５）、その空白スペースが存在する場合（Ｓ９０５でＹＥＳ）には、その空白スペースが一箇所であるか否かを判定し（Ｓ９０６）、一箇所である場合（Ｓ９０６でＹＥＳ）には、その空白スペースに対してスタンプ画像を押印する（Ｓ９１１）。また、一箇所でない場合（Ｓ９０６でＮＯ）には、あらかじめ指定した基点から複数の空白スペースそれぞれに対して距離を算出し（Ｓ９０７）、その距離が最も短い空白スペースをスタンプ画像押印位置に特定し（Ｓ９０８）、スタンプ画像を押印する（Ｓ９１１）。
【００６３】
そして、元画像全体からスタンプ画像の面積サイズ以上の空白スペースがあるか否かの判定において（Ｓ９０５）、面積サイズ以上の空白スペースが存在しない場合（Ｓ９０５でＮＯ）には、存在する空白スペースのうち最大の面積サイズを持つ空白スペースをスタンプ画像押印位置に特定し（Ｓ９０９）、スタンプ画像の縮小を行って（Ｓ９１０）押印する（Ｓ９１１）。
【００６４】
このような処理により、あらかじめ指定した基点となる位置に文字や図形などのオブジェクトが配置されていた場合であっても、該基点となる位置からより近い位置にスタンプ画像を押印することができる。
【００６５】
以上の処理によって、あらかじめ設定した基点からより近い位置にスタンプ画像を押印することができる。
【００６６】
従って、本発明を適用することにより、あらかじめ設定した基点にスタンプ画像を配置した場合に文字や図形などと重なってしまう場合であっても基点からより近い位置にスタンプを自動的に押印することができる。
【００６７】
なお、上記フローチャートに示す処理は、コンピュータにより実行可能なスタンプ制御プログラムによっても実現できる。
【００６８】
本発明は、上記し、且つ図面に示す実施例に限定することなく、その要旨を変更しない範囲内で適宜変形して実施できるものである。
【産業上の利用可能性】
【００６９】
本発明は、文字や図形などのオブジェクトから構成される画像にスタンプを押印するスタンプ制御装置および方法に適用可能であり、特に、あらかじめ指定した基点からより近い位置にスタンプを押印するのに有用である。
【図面の簡単な説明】
【００７０】
【図１】この発明に係わるスタンプ制御装置および方法を適用して構成したネットワーク構成図。
【図２】この発明に係わるスタンプ制御装置の構成を示す図。
【図３】基点においてスタンプ画像の形状を変更して押印したことを示す図。
【図４】スタンプ画像を基点付近に移動させて押印したことを示す図。
【図５】スタンプ画像を基点付近に移動させてスタンプ画像の形状を変更して押印したことを示す図。
【図６】空白スペースにスタンプ画像の形状を変更して押印したことを示す図。
【図７】スタンプ画像の元のデータが文字データである場合にスタンプ画像の形状を変更した例を示す図。
【図８】本発明に係わるスタンプ制御装置におけるスタンプ画像の押印位置を決定するフローチャート。
【図９】本発明に係わるスタンプ制御装置におけるスタンプ画像の押印位置を決定する他の例におけるフローチャート。
【符号の説明】
【００７１】
１０１      クライアント
１０２      データベース
１０３      アプリケーションサーバ
２０１      要求受付部
２０２      スタンプ制御部
２０３      スタンプ管理部
２０４      スタンプ位置制御部
２０５      スタンプ押印部
【図１】
2006041802.tif 000003
【図２】
2006041802.tif 000004
【図３】
2006041802.tif 000005
【図４】
2006041802.tif 000006
【図５】
2006041802.tif 000007
【図６】
2006041802.tif 000008
【図７】
2006041802.tif 000009
【図８】
2006041802.tif 000010
【図９】
2006041802.tif 000011